(57)【要約】【課題】歯間部での強い刷掃実感が得られると共に歯間部への進入実感が得られる歯ブラシを提供する。【解決手段】ヘッド部２の植毛面２ａに並ぶ複数の植毛穴に用毛の毛束が植設されてなる歯ブラシ１であって、ヘッド部２の植毛面２ａに、第１の植毛穴３と、この第１の植毛穴３よりも小径とされた第２の植毛穴４とが設けられ、ヘッド部２の長さ方向ｙにおいて第２の植毛穴４を挟んだ両側に第１の植毛穴３が位置するように、第１の植毛穴３と第２の植毛穴４とをそれぞれヘッド部２の幅方向ｘに直線状に並べて配置し、第２の植毛穴４に、ヘッド部２の長さ方向ｙよりも幅方向ｘの剛性が高い用毛の毛束が植設されている。【選択図】図１
2009066050.tif 000002
【特許請求の範囲】
【請求項１】
ヘッド部の植毛面に並ぶ複数の植毛穴に用毛の毛束が植設されてなる歯ブラシであって、
前記ヘッド部の植毛面には、第１の植毛穴と、この第１の植毛穴よりも小径とされた第２の植毛穴とが設けられ、
前記ヘッド部の長さ方向において前記第２の植毛穴を挟んだ両側に前記第１の植毛穴が位置するように、前記第１の植毛穴と前記第２の植毛穴とをそれぞれ前記ヘッド部の幅方向に直線状に並べて配置し、
前記第２の植毛穴には、前記ヘッド部の長さ方向よりも幅方向の剛性が高い用毛の毛束が植設されていることを特徴とする歯ブラシ。
【請求項２】
前記第２の植毛穴には、その横断面が矩形状を為す用毛の毛束が植設されると共に、当該毛束を構成する各用毛は、その横断面における最長辺又は最長対角線が前記ヘッド部の幅方向と平行となるように配置されていることを特徴とする請求項１に記載の歯ブラシ。
【請求項３】
前記第２の植毛穴の径が０．８〜１．２ｍｍであり、
前記植毛面に並ぶ全植毛穴の開口面積の総和に対する前記第２の植毛穴の開口面積の総和が１０〜５０％の範囲にあることを特徴とする請求項１又は２に記載の歯ブラシ。
【請求項４】
前記ヘッド部の長さ方向において隣接する前記第１の植毛穴と前記第２の植毛穴との中心間距離が２．２〜２．６ｍｍの範囲にあることを特徴とする請求項１〜３の何れか一項に記載の歯ブラシ。
【請求項５】
前記第２の植毛穴に植設された毛束が隣接する前記第１の植毛穴に植設された毛束よりも長く、その高低差が０．２〜３．０ｍｍの範囲にあり、
前記ヘッド部の幅方向において、前記第１及び第２の植毛穴に植設された毛束が全体として上向き円弧状に毛先が剪定された形状を有し、且つ、前記ヘッド部の長さ方向において、前記第１の植毛穴に植設された毛束が全体として下向き円弧状に毛先が剪定された形状を有することを特徴とする請求項１〜４の何れか一項に記載の歯ブラシ。
【発明の詳細な説明】
【技術分野】
【０００１】
本発明は、歯ブラシの改良に関する。
【背景技術】
【０００２】
歯ブラシの基本機能としては、口腔内の清掃効果やマッサージ効果などがある。歯ブラシは、その基本機能の向上を図るため、従来より歯間進入性や、刷掃実感、マッサージ性などを付加している。そして、このような歯ブラシの高付加価値化を図るためには、植毛穴の配置や形状、用毛の種類や形状、毛束の毛切り形状などを複雑に組み合わせた仕様が一般に有効である。
【０００３】
例えば、う蝕好発生部位である歯間部の歯垢を効率良く除去するためには、毛束先端部の小径化が有効である。具体例として、毛束先端部を毛束が植設されたヘッド部を側方から見て山型にカットするという仕様の歯ブラシが提案されている（例えば特許文献１を参照。）しかしながら、このような毛束端部が山型にカットされた歯ブラシを使用した場合には、歯間部での強い刷掃実感が得られる一方で、狭い歯間部での刷掃力には課題がある。
【０００４】
そこで、ヘッド部の植毛面に設けられた植毛穴を小径化し、この小径化された植毛穴に円形断面の用毛（ブリッスル）の毛束を植設し、同様の効果を狙った仕様の歯ブラシが提案されている（例えば特許文献２を参照。）。しかしながら、このような仕様の歯ブラシでは、毛束の毛腰が低い上に用毛の断面が円形であることから、毛束のまとまりが損なわれやすく、歯間部の刷掃実感や進入実感に大きな課題がある。
【特許文献１】特開平１０−３１３９４６号公報
【特許文献２】特開２００４−４１４０２号公報
【発明の開示】
【発明が解決しようとする課題】
【０００５】
本発明は、このような従来の事情に鑑みて提案されたものであり、歯間部での強い刷掃実感が得られると共に歯間部への進入実感が得られる歯ブラシを提供することを目的とする。
【課題を解決するための手段】
【０００６】
この目的を達成するために、請求項１に係る発明は、ヘッド部の植毛面に並ぶ複数の植毛穴に用毛の毛束が植設されてなる歯ブラシであって、ヘッド部の植毛面に、第１の植毛穴と、この第１の植毛穴よりも小径とされた第２の植毛穴とが設けられ、ヘッド部の長さ方向において第２の植毛穴を挟んだ両側に第１の植毛穴が位置するように、第１の植毛穴と第２の植毛穴とをそれぞれヘッド部の幅方向に直線状に並べて配置し、第２の植毛穴に、ヘッド部の長さ方向よりも幅方向の剛性が高い用毛の毛束が植設されていることを特徴とする歯ブラシである。
【０００７】
また、請求項２に係る発明は、第２の植毛穴に、その横断面が矩形状を為す用毛の毛束が植設されると共に、当該毛束を構成する各用毛が、その横断面における最長辺又は最長対角線がヘッド部の幅方向と平行となるように配置されていることを特徴とする請求項１に記載の歯ブラシである。
【０００８】
また、請求項３に係る発明は、第２の植毛穴の径が０．８〜１．２ｍｍであり、植毛面に並ぶ全植毛穴の開口面積の総和に対する第２の植毛穴の開口面積の総和が１０〜５０％の範囲にあることを特徴とする請求項１又は２に記載の歯ブラシである。
【０００９】
また、請求項４に係る発明は、ヘッド部の幅方向及び長さ方向において、隣接する第１の植毛穴と第２の植毛穴との中心間距離が２．２〜２．６ｍｍの範囲にあることを特徴とする請求項１〜３の何れか一項に記載の歯ブラシである。
【００１０】
請求項５に係る発明は、第２の植毛穴に植設された毛束が第１の植毛穴に植設された毛束よりも長く、その高低差が０．２〜３．０ｍｍの範囲にあり、ヘッド部の幅方向において、第１及び第２の植毛穴に植設された毛束が全体として上向き円弧状に毛先が剪定された形状を有し、且つ、ヘッド部の長さ方向において、第１の植毛穴に植設された毛束が全体として下向き円弧状に毛先が剪定された形状を有することを特徴とする請求項１〜４の何れか一項に記載の歯ブラシである。
【発明の効果】
【００１１】
以上のように、本発明の請求項１に係る歯ブラシでは、第１の植毛穴よりも小径とされた第２の植毛穴にヘッド部の長さ方向よりも幅方向の剛性が高い用毛の毛束を植設し、このような用毛の毛束が植設された第２の植毛穴をヘッド部の幅方向に直線状に並べて配置することによって、狭い歯間部への毛束の進入性を高めることができる。また、ヘッド部の長さ方向において用毛の毛束を撓みやすくし、歯間部に進入した用毛の毛束が歯垢を掻き出しやすくすることができる。さらに、ヘッド部の幅方向において用毛の剛性が高いといった異方性を持たせることによって、歯間部での強い刷掃実感を得ることができる。さらにまた、ヘッド部の長さ方向において第２の植毛穴を挟んだ両側に、この第２の植毛穴よりも大径とされた第１の植毛穴を配置することで、第１の植毛穴に植設された毛束が第２の植毛穴に植設された毛束の長さ方向における撓み具合を制御しながら、歯面に対する優れた刷掃効果を得ることができる。
【００１２】
また、本発明の請求項２に係る歯ブラシでは、横断面が矩形状を為す用毛の毛束を第２の植毛穴に植設し、各用毛を横断面における最長辺又は最長対角線がヘッド部の幅方向と平行となるように配置することで、ヘッド部の長さ方向よりも幅方向の剛性が高い用毛の毛束を第２の植毛穴に植設することができる。これにより、ヘッド部の長さ方向において用毛の毛束を撓みやすくし、歯間部に進入した用毛の毛束が歯垢を掻き出しやすくする一方、ヘッド部の幅方向において用毛の剛性が高いといった異方性を持たせることで、歯間部での強い刷掃実感を得ることができる。
【００１３】
また、本発明の請求項３に係る歯ブラシでは、第２の植毛穴の径を０．８〜１．２ｍｍとし、植毛面に並ぶ全植毛穴の開口面積の総和に対する第２の植毛穴の開口面積の総和を１０〜５０％の範囲とすることで、優れた清掃性と良好な使用性とを得ることができる。
【００１４】
本発明の請求項４に係る歯ブラシでは、ヘッド部の長さ方向において隣接する第１の植毛穴と第２の植毛穴との中心間距離を２．２〜２．６ｍｍの範囲とすることで、歯間部での高い刷掃力と良好な使用性とを得ることができる。
【００１５】
本発明の請求項５に係る歯ブラシでは、第２の植毛穴に植設された毛束を隣接する第１の植毛穴に植設された毛束よりも長くし、その高低差を０．２〜３．０ｍｍの範囲とすることで、第２の植毛穴に植設された毛束の歯間部への進入実感と刷掃実感を高めることができる。また、ヘッド部の幅方向において、第１及び第２の植毛穴に植設された毛束を全体として上向き円弧状に毛先が剪定された形状とすることで、歯肉への為害性を除去することができる。さらに、ヘッド部の長さ方向において、第１の植毛穴に植設された毛束を全体として下向き円弧状に毛先が剪定された形状とすることで、第２の植毛穴に植設された毛束が歯間部に進入する際の第１の植毛穴に植設された毛束の歯面に対するフィット性を高めることができる。
【００１６】
以上のように、本発明によれば、歯間部での強い刷掃実感が得られると共に歯間部への進入実感が得られる歯ブラシを提供することが可能である。
【発明を実施するための最良の形態】
【００１７】
以下、本発明を適用した歯ブラシについて、図面を参照して詳細に説明する。
なお、以下の説明で用いる図面は、特徴をわかりやすくするために、便宜上特徴となる部分を模式的に示している場合があり、各構成要素の寸法比率などが実際と同じであるとは限らない。また、場合によって用毛の図示を省略し、用毛の毛束が植毛される植毛穴のみを示すものとする。
【００１８】
図１〜図３は、本発明を適用した歯ブラシ１を示す図であり、図１は、この歯ブラシ１のハンドル部（図示せず。）の先端側に設けられたヘッド部２を示す平面図である。図２は、この歯ブラシ１のヘッド部２を長さ方向から見た側面図であり、図３は、この歯ブラシ１のヘッド部２を幅方向から見た側面図である。
【００１９】
歯ブラシ１のヘッド部２は、図１〜図３に示すように、ハンドル部と共に硬質樹脂材料によって一体成形されたブラシハンドルを構成している。このブラシハンドルに使用される硬質樹脂材料としては、例えば、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、ＡＢＳ（アクロル二トリル・ブタジエン・スチレン）などの熱可塑性樹脂材料を挙げることができるが、これらの材料に必ずしも限定されるものではない。また、ブラシハンドルの形状や、大きさ、デザイン等は、特に限定されるものではなく、任意に変更して実施することができる。
【００２０】
ヘッド部２は、略直方体状を為し、その一面（植毛面という。）２ａには、第１の植毛穴３と、この第１の植毛穴３よりも小径とされた第２の植毛穴４とが設けられている。具体的に、このヘッド部２の植毛面２ａには、ヘッド部２の長さ方向ｙにおいて第２の植毛穴４を挟んだ両側に第１の植毛穴３が位置するように、第１の植毛穴３と第２の植毛穴４とが、それぞれヘッド部２の幅方向ｘに直線状に並んで配置されている。
【００２１】
そして、第１の植毛穴３と第２の植毛穴４とには、それぞれ第１の毛束５と第２の毛束６とが植設されている。このうち、第２の毛束６は、第１の毛束５よりも毛丈が長くなっている。また、第１の毛束５は、図２に示すヘッド部２の長さ方向ｙにおいて、全体として下向き円弧状に毛先が剪定された形状を有している。一方、第１の毛束５及び第２の毛束６は、図３に示すヘッド部２の幅方向ｘにおいて、全体として上向き円弧状に毛先が剪定された形状を有している。
【００２２】
第１及び第２の毛束５，６は、複数本の用毛を束ねて二つ折りにし、その間に平線と呼ばれる抜止め具を挟んで第１及び第２の植毛穴３，４に打ち込むことによって植設されている。なお、用毛の材質については、特に限定されないものの、例えば、ポリアミド（例：６−１２ナイロン、６−１０ナイロン）、ポリエステル（例：ポリエチレンテレフタレート、ポリブチレンテレフタレート、ポリトリメチレンテレフタレート）、ポリオレフィン（例：ポリプロピレン）、エラストマー（例：オレフィン系、スチレン系）などの合成樹脂材料を挙げることができる。
【００２３】
第２の毛束６には、ヘッド部２の長さ方向ｙよりも幅方向ｘの剛性が高い用毛６ａを用いている。具体的に、第２の毛束６は、図４に示すように、横断面が矩形状（図４においては長方形）を為す複数本の用毛６ａを束ねて二つ折りにし、その間に挟み込まれた平線７の向きがヘッド部２の幅方向ｘと平行となるようにして第２の植毛穴４に植設されている。また、各用毛６ａは、その横断面における最長辺がヘッド部２の幅方向ｘと平行となるように配置されている。なお、第２の毛束６は、図５に示すように、各毛束６ｂが横断面が菱形を為す場合、その横断面における最長対角線がヘッド部２の幅方向ｘと平行となるように配置してもよい。この場合、平線７の向きは、用毛６ｂの横断面の一辺と平行となる。
【００２４】
以上のような構造を有する歯ブラシ１では、第１の植毛穴３よりも小径とされた第２の植毛穴４にヘッド部２の長さ方向ｙよりも幅方向ｘの剛性が高い第２の毛束６を植設し、このような第２の毛束６が植設された第２の植毛穴４をヘッド部２の幅方向ｘに直線状に並べて配置することによって、狭い歯間部への毛束の進入性を高めることができる。また、ヘッド部２の長さ方向ｙにおいて第２の毛束６を撓みやすくし、歯間部に進入した第２の毛束６が歯垢を掻き出しやすくすることができる。さらに、ヘッド部２の幅方向ｘにおいて第２の毛束６の剛性が高いといった異方性を持たせることによって、歯間部での強い刷掃実感を得ることができる。さらにまた、ヘッド部２の長さ方向ｙにおいて第２の植毛穴４を挟んだ両側に、この第２の植毛穴４よりも大径とされた第１の植毛穴３を配置することで、第１の毛束５が第２の毛束６の長さ方向における撓み具合を制御しながら、歯面に対する優れた刷掃効果を得ることができる。
【００２５】
また、本発明を適用した歯ブラシ１では、第２の植毛穴４の径を０．８〜１．２ｍｍとすることが好ましい。これにより、優れた清掃性と良好な使用性とを得ることができる。一方、この径が０．８ｍｍ未満になると、第２の毛束６が剛性不足となる。また、この径が１．２ｍｍを超えると、第２の毛束６の歯間部への進入性が悪くなる。
【００２６】
また、本発明を適用した歯ブラシ１では、ヘッド部２の植毛面２ａに並ぶ全植毛穴３，４の開口面積の総和に対する第２の植毛穴４の開口面積の総和を１０〜５０％の範囲とすることが好ましい。これにより、優れた清掃性と良好な使用性とを得ることができる。一方、この値が１０％未満になると、第２の毛束６の歯間部への進入実感が悪くなる。また、この値が５０％を超えると、第２の毛束６のブラシ全体の毛腰が弱くなり、刷掃実感が乏しくなる。
【００２７】
また、本発明を適用した歯ブラシ１では、ヘッド部２の長さ方向において隣接する第１の植毛穴３と第２の植毛穴４との中心間距離を２．２〜２．６ｍｍの範囲とすることが好ましい。これにより、歯間部での高い刷掃力と良好な使用性とを得ることができる。一方、この距離が２．２ｍｍよりも短くなると、第２の毛束６の撓み具合が悪くなる。また、この距離が２．６ｍｍよりも長くなると、第２の毛束６の歯間部への進入実感及び清掃実感が悪くなる。
【００２８】
本発明を適用した歯ブラシ１では、第２の植毛穴に植設された毛束を隣接する第１の植毛穴に植設された毛束よりも長くし、その高低差を０．２〜３．０ｍｍの範囲とすることが好ましい。これにより、第２の植毛穴に植設された毛束の歯間部への進入実感と刷掃実感を高めることができる。一方、この高低差が０．２ｍｍ未満になると、そのような効果を十分に得ることができなくなる。また、この高低差が３．０ｍｍを超えると、第２の毛束６の撓みの自由度が高くなり過ぎて使用感が低下する。
【００２９】
また、本発明を適用した歯ブラシ１では、ヘッド部２の幅方向ｘにおいて、第１及び第２の毛束５，６を全体として上向き円弧状に毛先が剪定された形状とすることで、歯肉への為害性を除去することができる。さらに、ヘッド部２の長さ方向ｙにおいて、第１の毛束５を全体として下向き円弧状に毛先が剪定された形状とすることで、第２の毛束６が歯間部に進入する際の第１の毛束５の歯面に対するフィット性を高めることができる。
【００３０】
以上のように、本発明によれば、歯間部での強い刷掃実感が得られると共に歯間部への進入実感が得られる歯ブラシ１を提供することが可能である。
【実施例】
【００３１】
以下、実施例により本発明の効果をより明らかなものとする。なお、本発明は、以下の実施例に限定されるものではなく、その要旨を変更しない範囲で適宜変更して実施することができる。
【００３２】
（実施例１）
実施例１では、上記図１に示す歯ブラシ１と同様の歯ブラシを実際に作製した。具体的には、第１の植毛穴３の直径を１．６５ｍｍ、第２の植毛穴４の直径を１．０ｍｍとし、植毛面２ａに並ぶ全植毛穴３，４の開口面積の総和に対する第１の植毛穴３の開口面積の総和を８１．９％、第２の植毛穴４の開口面積の総和を１８．１％とした。また、ヘッド部２の長さ方向ｙにおいて隣接する第１の植毛穴３と第２の植毛穴４との中心間距離を２．５５ｍｍとした。第１の毛束５には、横断面が円形の用毛（８ｍｉｌ）を用いた。また、第２の毛束６には、横断面が長方形（長辺１０ｍｉｌ、短辺６ｍｉｌ）の用毛６ａを用い、この用毛６ａを束ねて二つ折りにし、その間に挟み込まれた平線７の向きがヘッド部２の幅方向ｘと平行となるようにして第２の植毛穴４に植設した。また、各用毛６ａは、その横断面における最長辺がヘッド部２の幅方向ｘと平行となるように配置した。また、ヘッド部２の長さ方向ｙにおいて、第１の毛束５を全体として下向き円弧状に毛先が剪定された形状とし、ヘッド部２の幅方向ｘにおいて、第１の毛束５及び第２の毛束６を全体として上向き円弧状に毛先が剪定された形状とし、第１の毛束５の最下点（９．５ｍｍ）と第２の毛束６の最上点（１１．５ｍｍ）との高低差を２ｍｍとした。
【００３３】
（実施例２）
実施例２では、上記図５に示すように、第２の毛束６に横断面が菱形を為す用毛６ｂを用い、その横断面における最長対角線がヘッド部２の幅方向ｘと平行となるように各用毛６ｂを配置した以外は、実施例１と同様の歯ブラシを作製した。
【００３４】
（比較例１）
比較例１では、第２の毛束６に横断面が円形の用毛（８ｍｉｌ）を用いた以外は、実施例１と同様の歯ブラシを作製した。
【００３５】
（比較例２）
比較例２では、第２の毛束６に横断面が長方形を為す用毛を用い、その横断面における最長辺がヘッド部２の長さ方向ｙに対して１５゜傾くように各用毛を配置した以外は、実施例１と同様の歯ブラシを作製した。
【００３６】
（比較例３）
比較例３では、ヘッド部２の長さ方向ｙ及び幅方向ｘにおいて、第１の毛束５及び第２の毛束６を全体として平らに毛先が剪定された形状とし、第１の毛束５の最下点（９．５ｍｍ）と第２の毛束６の最上点（１１．５ｍｍ）との高低差を２ｍｍとした以外は、実施例１と同様の歯ブラシを作製した。
【００３７】
（比較例４）
比較例４では、ヘッド部２の長さ方向ｙにおいて、第１の毛束５を全体として平らに毛先が剪定された形状とし、ヘッド部２の幅方向ｘにおいて、第２の毛束６を全体として上向き円弧状に毛先が剪定された形状とし、第１の毛束５の最下点（９．５ｍｍ）と第２の毛束６の最上点（１１．５ｍｍ）との高低差を２ｍｍとした以外は、実施例１と同様の歯ブラシを作製した。
【００３８】
（比較例５）
比較例５では、第１の毛束５の最下点（９．５ｍｍ）と第２の毛束６の最上点（９．５ｍｍ）との高低差を０ｍｍとした以外は、実施例１と同様の歯ブラシを作製した。
【００３９】
（比較例６）
比較例６では、第１の毛束５の最下点（９．５ｍｍ）と第２の毛束６の最上点（１３．５ｍｍ）との高低差を４ｍｍとした以外は、実施例１と同様の歯ブラシを作製した。
【００４０】
（比較例７）
比較例７では、ヘッド部２の長さ方向ｙにおいて隣接する第１の植毛穴３と第２の植毛穴４との中心間距離を２．１ｍｍとした以外は、実施例１と同様の歯ブラシを作製した。
【００４１】
（比較例８）
比較例８では、ヘッド部２の長さ方向ｙにおいて隣接する第１の植毛穴３と第２の植毛穴４との中心間距離を２．８ｍｍとした以外は、実施例１と同様の歯ブラシを作製した。
【００４２】
そして、これら実施例１，２及び比較例１，２の歯ブラシについて、「歯間進入実感」、「歯間清掃実感」、「歯グキ痛み」、「用毛耐久性」の評価を行った。その評価結果を表１に示す。なお、各評価方法については、以下のとおりである。
【００４３】
「歯間進入実感の評価」
５０人のパネラーに歯ブラシを使用してもらい、アンケート調査により「歯間部に毛先が届いた感じがする。」と回答したパネラーが、４０人以上の場合を◎、３０−３９人の場合を○、１５−２９人の場合を△、１４人以下の場合を×とした。
【００４４】
「歯間清掃実感の評価」
５０人のパネラーに歯ブラシを使用してもらい、アンケート調査により「歯間部が磨けた感じがする。」と回答したパネラーが、４０人以上の場合を◎、３０−３９人の場合を○、１５−２９人の場合を△、１４人以下の場合を×とした。
【００４５】
「歯グキ痛みの評価」
５０人のパネラーに歯ブラシを使用してもらい、アンケート調査により「ブラッシングで歯グキに痛みを感じた。」と回答したパネラーが、１０人以下の場合を○、１１−３０人の場合を△、３１人以上の場合を×とした。
【００４６】
「用毛耐久性の評価」
５０人のパネラーに歯ブラシを使用してもらい、３ヶ月経過後の用毛の開き具合を５段階（５が最も良い評価）で評価し、平均が３．５以上の場合を○、２．１−３．４の場合を△、２．０以下の場合を×とした。
【００４７】
【表１】
2009066050.tif 000003
【００４８】
表１に示すように、実施例１，２の歯ブラシでは、「歯間進入実感」、「歯間清掃実感」、「歯グキ痛み」、「用毛耐久性」について、何れの評価も良い結果が得られた。
一方、比較例１の歯ブラシでは、「歯間進入実感」について良い評価が得られたものの、横断面が円形の用毛は毛束がばらつき易く、その他の評価項目については何れも良い評価が得られなかった。
また、実施例１と比較例２との比較から、横断面が長方形を為す用毛をその最長辺がヘッド部２の幅方向ｘに平行となるように配置し、用毛の撓み具合を制御することが歯間部に対する清掃効果を向上させるのに有効であることがわかった。また、用毛の耐久性が向上することもわかった。
【００４９】
次に、実施例１及び比較例３〜６の歯ブラシについて、「歯間進入実感」、「歯間清掃実感」、「歯グキ痛み」の評価を行った。その評価結果を表２に示す。なお、各評価方法については、上記のとおりである。
【００５０】
【表２】
2009066050.tif 000004
【００５１】
表２に示すように、比較例３の歯ブラシからは、毛先が平らに剪定されることによって、歯グキに痛みを感じ易くなることがわかる。また、比較例４の歯ブラシでは、歯グキに痛みを感じ易くなることはないものの、実施例１の歯ブラシと比べて、歯間進入実感及び歯間清掃実感に劣ることがわかる。また、比較例６の歯ブラシのように、毛束に高低差があり過ぎると、清掃実感に乏しく、歯グキに痛みを感じ易くなることがわかる。一方、比較例５の歯ブラシのように、毛束に高低差がないと、歯グキに痛みは感じないものの、歯間進入実感及び歯間清掃実感に乏しくなることがわかる。
【００５２】
次に、実施例１及び比較例７，８の歯ブラシについて、「歯間進入実感」、「歯間清掃実感」、「歯グキ痛み」の評価を行った。その評価結果を表３に示す。なお、各評価方法については、上記のとおりである。
【００５３】
【表３】
2009066050.tif 000005
【００５４】
表３に示すように、比較例７の歯ブラシでは、実施例１の歯ブラシと比べて、毛束の撓み具合が悪くなり、歯間部に対する清掃効果が不充分となることがわかる。一方、比較例８の歯ブラシでは、毛束が撓み易くなり、歯間進入実感がよくなるものの、歯間清掃実感が悪くなり、歯グキに痛みを感じ易くなることがわかる。
【図面の簡単な説明】
【００５５】
【図１】図１は、本発明を適用した歯ブラシのヘッド部を示す平面図である。
【図２】図２は、図１に示す歯ブラシのヘッド部を長さ方向から見た側面図である。
【図３】図３は、図１に示す歯ブラシのヘッド部を幅方向から見た側面図である。
【図４】図４は、図１に示す歯ブラシの第２の植毛穴を示す平面図である。
【図５】図５は、第２の植毛穴の他例を示す平面図である。
【符号の説明】
【００５６】
１…歯ブラシ  ２…ヘッド部  ２ａ…植毛面  ３…第１の植毛穴  ４…第２の植毛穴  ５…第１の毛束  ６…第２の毛束  ６ａ，６ｂ…用毛  ７…平線
【図１】
2009066050.tif 000006
【図２】
2009066050.tif 000007
【図３】
2009066050.tif 000008
【図４】
2009066050.tif 000009
【図５】
2009066050.tif 000010